(57)【要約】【課題】フード付き或いは長袖など種々形態の衣服を、最適な展開状態にそれぞれ対応して吊すハンガーを提供する。【解決手段】ハンガー１０は、リング状のフード展開部１２と、両端が伸長または復帰可能なハンガー本体２０と、このハンガー本体２０及びフード展開体１２を吊持する吊持体３０と、を備える。フードＷ２をフード展開部１２に覆い被せると共に、ハンガー本体２０に対するアーム２１または２２の突出長さを伸ばすことが可能であるので、長袖Ｗ１の長さに対応するよう適宜に伸長し得る。即ち、長袖Ｗ１の他に、フードＷ２を展開モードで干せるので、衣服Ｗ全体に対する日照や通風が良くなり、且つ均一に乾燥し得る。【選択図】図２
0003190722.tif 000002
【実用新案登録請求の範囲】
【請求項１】
衣服を展開して吊すハンガーであって、
衣服のフードが展開可能なフード形状のフード展開部と、
このフード展開部に連結され、衣服の袖周辺を掛ける両端が伸長または復帰可能なハンガー本体と、
このハンガー本体または上記フード展開部のいずれか一方に連結され、上記ハンガー本体を吊持する吊持体と、
を備えるハンガー。
【請求項２】
請求項１に記載のハンガーにおいて、上記吊持体および上記フード展開部は可撓可能な線状体とし、上記フード展開部をリング状に屈曲成形すると共に、上記吊持体を撚りながら重ね合わせる構造とするハンガー。
【請求項３】
請求項１または請求項２に記載のハンガーにおいて、上記ハンガー本体の両端に、スライド可能なアームをそれぞれ内装するハンガー。
【考案の詳細な説明】
【技術分野】
【０００１】
本考案は、例えばフード付き或いは長袖などの衣服を展開して吊すハンガーに関する。
【背景技術】
【０００２】
特許文献１には、フード付き衣服のフード部を拡げた状態で干すための干し具が開示されている。即ち、特許文献１の干し具は、リング状に形成されたフード掛けリングの最下部において、前面に約３０度の傾斜をもたせて吊り杆を固着し、かつ該吊り杆の中央部後側にＶ字状にフード引っ掛け杆を取り付け、更に中央部前側のやや下方にリング状のハンガー掛けリングを突設している（要約及び図１参照）。
【先行技術文献】
【特許文献】
【０００３】
【特許文献１】実開平７−３５９４号公報
【考案の概要】
【考案が解決しようとする課題】
【０００４】
ところで、特許文献１の干し具は、そのハンガー掛けリングに市販ハンガーを掛けた状態（図３参照）で、この市販ハンガーにフード付き衣服を掛け、且つフード掛けリングにフードが拡がった展開状態を保持する（図４参照）。即ち、特許文献１の干し具では、フードが展開状態で保持されるが、長袖を伸ばした展開状態に保持できない。また、特許文献１では、上記干し具の他に、別商品である市販ハンガーをも必要とする。
【０００５】
本考案の目的は、例えばフード付き或いは長袖などの種々形態の衣服であっても、これら衣服の展開状態にそれぞれ対応し得るハンガーを提供することにある。
【課題を解決するための手段】
【０００６】
本考案のハンガーは、衣服を展開して吊すハンガーであって、衣服のフードが展開可能なフード形状のフード展開部と、このフード展開部に連結され、衣服の袖周辺を掛ける両端が伸長または復帰可能なハンガー本体と、このハンガー本体または上記フード展開部のいずれか一方に連結され、上記ハンガー本体を吊持する吊持体と、を備える。
【０００７】
また、本考案は、上述したハンガーにおいて、上記吊持体および上記フード展開部は可撓可能な線状体とし、上記フード展開部をリング状に屈曲成形すると共に、上記吊持体を撚りながら重ね合わせる構造としても良い。更に、本考案は、上述した各ハンガーにおいて、上記ハンガー本体の両端に、スライド可能なアームをそれぞれ内装するようにしても良い。
【考案の効果】
【０００８】
本考案によれば、フード展開部を設け且つハンガー本体の両端をそれぞれ伸長または復帰可能に構成したので、ハンガー使用時では長袖の長さに対応するよう適宜に伸長でき且つフードを拡げた状態で吊せる。即ち、本考案によれば、例えばフード付き或いは長袖などの種々形態の衣服であっても、これら衣服の最適な展開状態にそれぞれ対応して吊るし得るので、衣服全体に対する日照や通風が良くなり、均一に乾燥し得る。
【図面の簡単な説明】
【０００９】
【図１】本実施例に係るハンガーを示す正面図である。
【図２】図１に示すハンガーの使用状態の正面図である。
【考案を実施するための形態】
【００１０】
以下、本考案を実施するための形態について、具体化した一実施例を説明する。
【実施例１】
【００１１】
以下、図１及び図２に基づいて、本考案の一実施例であるハンガーについて説明する。ここで、本実施例のハンガー１０は、例えばフード付き或いは長袖などの衣服を、それぞれ対応する最適な展開状態で吊すタイプである。
【００１２】
図１及び図２に示すように、ハンガー１０は、衣服ＷのフードＷ２（図２の一点鎖線参照）が展開可能となるリング状（「フード形状」と同義）のフード展開部１２と、衣服Ｗの袖Ｗ１周辺（図２の一点鎖線参照）を掛ける両端が伸長または復帰可能なハンガー本体２０と、このハンガー本体２０（フード展開体１２をも含む）を吊持する吊持体３０と、を備える。
【００１３】
吊持体３０及びフード展開部１２は、それぞれ可撓可能な一本の線状体たとえば軟質製の鋼鉄線またはビニールを被覆した鉄線（ビニール被覆線）などが使用される。そして、フード展開部１２は、略真円（または縦長の楕円など）外周形のリング状に屈曲成形される。また、一本の線状体で屈曲成形される吊持体３０は、その楕円状の基部３１と、一直線状の吊部３２と、略（逆）Ｕ字状のフック部３３を備える。なお、本実施例では、フード展開部１２または吊持体３０を硬質な合成樹脂などで成形しても良い。
【００１４】
更に、吊部３２は、図１及び図２に示すように、フード展開部１２の直径より若干長くなるよう成形され、フック部３３がフード展開部１２直径外へ突出するように設定される。そして、ハンガー１０は、吊持体３０の吊部３２が、ハンガー本体２０の長手方向中央上に位置するように設定している。これは、ハンガー本体２０両端のバランスを考慮したもので、ハンガー本体２０に掛ける衣服Ｗ（図２の一点鎖線参照）の重心と略一致する。
【００１５】
なお、本実施例では、基部３１をハンガー本体２０或いはフード展開部１２に連結させても良い。フード展開部１２に基部３１を連結する場合は、図１に示すようにハンガー本体２０側とする。また、一本の線状体（例えば針金など）である吊持体３０は、基部３１を略楕円に屈曲成形すると共に、これらの両端を撚りながら重ね合わせ、吊部３２及びフック部３３を成形させても良い。この場合、フック部３３（吊部３２を含む）は、その両端が複数本（二本またはそれ以上）となるので、強度が増す。
【００１６】
（ハンガー本体２０に関する構成）
図１に示すように、棒状のハンガー本体２０には、その長手方向略中央外周面に一対のブラケット２８が、それぞれ嵌合して固着されている。リング状のブラケット２８には、図示しない孔が形成されたフック２９が突設されている。そして、フック２９には、その孔にフード展開部１２及び吊持体３０（吊部３２）の一部が、それぞれ挿通（「連結」と同義）される。
【００１７】
ハンガー本体２０には、図２に示すように、左右一対づつのアーム２１及び２２が、ハンガー本体２０の両端に対してそれぞれ出し入れ可能（「スライド可能」と同義）に配置（内装）されている。即ち、直列状（「直管状」と同義）に配置されるハンガー本体２０及びアーム２１・２２は、円筒状に成形されている。
【００１８】
なお、アーム２２には、その先端に半球状のキャップ２２Ａが配置されている（図１及び図２参照）。また、ハンガー本体２０は、その長手方向の長さが衣服Ｗ（図２の一点鎖線参照）の肩幅程度となっている。更に、アーム２２はアーム２１よりも若干だけ小径となっており、アーム２１はハンガー本体２０よりも若干だけ小径となっている。
【００１９】
そして、ハンガー本体２０及びアーム２１の両端ならびにアーム２２の基端には、抜け止め用のストッパ（図示省略）が、それぞれ配置されている。そのため、アーム２１及び２２は、図１及び図２に示すように、ハンガー本体２０の両端に対し、それぞれが伸長または復帰可能（「出し入れ可能」と同義）となる。なお、ハンガー本体２０及びアーム２１・２２は、その長さ方向の長さを任意に変更し得る。
【００２０】
（本実施例の作用）
長袖でフード付き衣服Ｗを掛ける場合、例えば図１に示すアーム収納モードのハンガー本体２０に対し、長袖Ｗ１を掛ける前後のいずれも問わず、アーム２１または２２を適宜の突出長さとなるように引き出す（図２の矢印参照）。フードＷ２を持ち上げ拡げる展開モードに保持するには、フードＷ２をフード展開部１２に覆い被せると共に、フード先端部Ｗ３がフード展開部１２及び吊部３２の間に挟まるような状態にする（図２の二点鎖線参照）。
【００２１】
そして、本実施例では、ハンガー１０のフック部３３を、例えば物干し竿Ｓ（図２の破線参照）などに吊ると、衣服Ｗの長袖Ｗ１及びフードＷ２が展開状態（長袖Ｗ１を伸ばした状態およびフードＷ２を拡げた状態）で干せる。本実施例において、単体のハンガー１０であっても、長袖でフード付き衣服ＷのフードＷ２を持ち上げ拡げる展開モードとして干せる。
【００２２】
また、本実施例では、ハンガー本体２０に対するアーム２１または２２の突出長さが調整（「伸長」と同義）可能であるので、長袖Ｗ１の長さに対応するよう適宜に伸ばし（「展開」と同義）得る。即ち、本実施例によれば、長袖Ｗ１の他に、フードＷ２を展開モードで干せるので、衣服Ｗ全体に対する日照や通風が良くなり、且つ均一に乾燥し得る。
【００２３】
一方、ハンガー１０の使用後は、アーム２１及び２２をハンガー本体２０内に収納（「復帰」と同義）するようにスライド即ち摺動（図２の矢印参照）させ、初期のアーム収納モード（図１参照）とする。即ち、ハンガー１０の不使用時には、アーム２１及び２２をハンガー本体２０内に収納しているアーム収納モードとなるので、コンパクトな状態で保持し得る。
【００２４】
本実施例においては、ハンガー本体２０の両端をそれぞれ伸長または復帰可能に構成したので、ハンガー使用時では長袖Ｗ１の長さに対応するよう適宜に伸長し得ると共に、ハンガー不使用時ではアーム２１及び２２がハンガー本体内へ復帰できコンパクトとなる。
【００２５】
従って、本実施例によれば、フード展開部１２を設け且つハンガー本体２０の両端をそれぞれ伸長または復帰可能に構成したので、ハンガー使用時では長袖Ｗ１の長さに対応するよう適宜に伸長でき且つフードＷ２を拡げた状態で吊せる。更に、本実施例によれば、図２に示すように、フード展開部１２及び吊持体３０（吊部３２）の組合せにより、フードＷ２の先端部Ｗ２付近を挟むように構成しているので、フードＷ２を確実に展開し得る。
【００２６】
また、フードが無い単なる長袖の衣服の場合は、フード展開部を使用することなく、アーム２１または２２を突出調整して吊るす。更に、フードが無い半袖の衣服あるいは例えば子供服などの衣服では、例えばアーム収納モードのハンガー本体２０で、上記衣服を吊るしても良い。即ち、本実施例において、例えばフード付き或いは長袖などの種々形態の衣服であっても、これら衣服の最適な展開状態にそれぞれ対応して吊るし得る。
【００２７】
従って、本実施例によれば、例えばフード付き或いは長袖などの種々形態の衣服であっても、これら衣服の最適な展開状態にそれぞれ対応して吊るし得るので、衣服全体に対する日照や通風が良くなり、均一に乾燥し得る。
【００２８】
なお、本実施例ではハンガー本体２０を一直線状に形成した例であるが、本発明ではハンガー本体をその長手方向中心から両端がそれぞれ下方へ向かって若干傾斜するように構成しても良い。また、本実施例ではフード展開部１２及び吊持体３０を別体とした例であるが、本発明では一本の線状体でフード展開部及び吊持体を屈曲成形させても良い。更に、本発明は、フード展開部または吊持体を硬質な合成樹脂などで成形しても良い。
【符号の説明】
【００２９】
１０…ハンガー、１２…フード展開部、２０…ハンガー本体、２１・２２…アーム、２８…ブラケット、３０…吊持体、３１…基部、３２…吊部、３３…フック部、Ｗ…衣服、Ｗ１…袖、Ｗ２…フード、Ｗ３…フードの先端部、Ｓ…物干し竿
【図１】
0003190722.tif 000003
【図２】
0003190722.tif 000004